(57)【要約】【課題】簡単な構成で、様々な色の液体を視認よく計量する。【解決手段】シリンジ１は、透明性又は透光性を有する外筒１０と、外筒内に挿入されたプランジャ２０とを備える。外筒１０には、外筒内の液体を計量するための第１目盛り１１が設けられている。プランジャ２０には、外筒内の液体を計量するための第２目盛り２１が設けられている。第２目盛り２１は、プランジャの長手方向に直交する第１方向からは視認することができ、且つ、プランジャの長手方向に直交し且つ第１方向とは異なる第２方向からは視認することができない。【選択図】図１Ａ
2014195516.tif 000002
【特許請求の範囲】
【請求項１】
透明性又は透光性を有する外筒と、前記外筒内に挿入されたプランジャとを備えたシリンジであって、
前記外筒には、前記外筒内の液体を計量するための第１目盛りが設けられており、
前記プランジャには、前記外筒内の液体を計量するための第２目盛りが設けられており、
前記第２目盛りは、前記プランジャの長手方向に直交する第１方向からは視認することができ、且つ、前記プランジャの長手方向に直交し且つ前記第１方向とは異なる第２方向からは視認することができないことを特徴とするシリンジ。
【請求項２】
前記プランジャは不透明性又は非透光性を有する請求項１に記載のシリンジ。
【請求項３】
前記第２目盛りは、前記プランジャに貼付されたシート上に設けられている請求項１又は２に記載のシリンジ。
【請求項４】
前記シートは不透明性又は非透光性を有する請求項３に記載のシリンジ。
【請求項５】
前記第１目盛りは黒系色を有する請求項１〜４のいずれかに記載のシリンジ。
【請求項６】
前記第２目盛りは黒系色を有する請求項１〜５のいずれかに記載のシリンジ。
【発明の詳細な説明】
【技術分野】
【０００１】
本発明は、シリンジに関する。特に、計量性に優れたシリンジに関する。
【背景技術】
【０００２】
医療の分野においてシリンジが広範囲に使用されている。シリンジは、一端に口部を備えた筒状の外筒と、外筒内にその他端から挿入されるプランジャとを備える。外筒は、外筒内の液体やプランジャを外筒の外から視認することができるように、一般に透明性又は透光性を有している。外筒の外面には、外筒内の液体の量を計量するための目盛り（液量表示部）が設けられている。外筒に設けられた目盛りに対して、外筒内に挿入されたプランジャの先端がどこに位置しているかを作業者が視認することにより、外筒内に収納された液体の量を計量することができる。
【０００３】
外筒に設けられる目盛りの色は、一般に黒色又は濃色である。一方、一部の抗がん剤を含む薬液のように、外筒内に収納される液体の色が濃色であることがある。このような場合、目盛りを読みづらく、計量性が低下する。更には、計量を誤ってしまうという危険もある。
【０００４】
特許文献１には、例えば黒等の濃色の目盛り及び白等の淡色の目盛りなど、色が異なる複数の目盛りを外筒に設けたシリンジが記載されている。濃色の目盛りは淡色（透明、薄色を含む）の液体に対して視認性が良好であり、淡色の目盛りは濃色の液体に対して視認性が良好である。従って、どのような色の液体についても常に容易且つ正確に計量することができる。
【先行技術文献】
【特許文献】
【０００５】
【特許文献１】特開２０１２−０８０９５７号公報
【発明の概要】
【発明が解決しようとする課題】
【０００６】
しかしながら、上記の特許文献１のシリンジは、共通する外筒に、色が異なる複数の目盛りが設けられているので、以下の問題を有している。
【０００７】
第１に、特に外筒の外径が小径である場合には、色が異なる複数の目盛りを設けるための領域が狭くなってしまう。従って、目盛りが小さくなってしまい、これが目盛りの視認性を低下させる。
【０００８】
第２に、共通する外筒に色が異なる目盛りを設けることは、外筒の製造工程を煩雑にする。従って、外筒の製造コストが増大する。
【０００９】
本発明は、上記の従来のシリンジの問題を解決し、簡単な構成で、様々な色の液体を視認性よく計量することができるシリンジを提供することを目的とする。
【課題を解決するための手段】
【００１０】
本発明のシリンジは、透明性又は透光性を有する外筒と、前記外筒内に挿入されたプランジャとを備える。前記外筒には、前記外筒内の液体を計量するための第１目盛りが設けられている。前記プランジャには、前記外筒内の液体を計量するための第２目盛りが設けられている。前記第２目盛りは、前記プランジャの長手方向に直交する第１方向からは視認することができ、且つ、前記プランジャの長手方向に直交し且つ前記第１方向とは異なる第２方向からは視認することができない。
【発明の効果】
【００１１】
本発明によれば、淡色液体は外筒に設けられた第１目盛りを用いて視認性よく計量することができ、濃色液体はプランジャに設けられた第２目盛りを用いて視認性よく計量することができる。第２目盛りは、第１方向からは視認することができるが、第２方向からは視認することができない。従って、第１目盛りを用いて計量する場合、第２目盛りが視認できないようにプランジャを回転させれば、第２目盛りが計量の妨げになることはない。従って、本発明のシリンジは、簡単な構成で、様々な色の液体の量を視認性よく計量することができる。
【図面の簡単な説明】
【００１２】
【図１Ａ】図１Ａは、本発明の一実施形態にかかるシリンジの斜視図である。
【図１Ｂ】図１Ｂは、本発明の一実施形態にかかるシリンジの断面図である。
【図２】図２は、本発明の一実施形態にかかるシリンジを構成するプランジャの斜視図である。
【図３】図３Ａはプランジャの第１方向から見た正面図、図３Ｂはプランジャの第２方向から見た正面図である。
【図４】図４は、本発明の一実施形態にかかるシリンジにおいて、外筒内の淡色液体を計量する方法を示した正面図である。
【図５】図５は、本発明の一実施形態にかかるシリンジにおいて、外筒内の濃色液体を計量する方法を示した正面図である。
【発明を実施するための形態】
【００１３】
本発明の上記のシリンジにおいて、前記プランジャは不透明性又は非透光性（更には不透明性及び非透光性）を有していてもよい。これにより、第１方向からは視認することができ且つ第２方向からは視認することができない第２目盛りをプランジャに容易に設けることができる。
【００１４】
前記第２目盛りは、前記プランジャに貼付されたシート上に設けられていてもよい。これにより、例えば従来のプランジャを用いて本発明のシリンジを構成することができる。
【００１５】
上記において、前記シートは不透明性又は非透光性（更には不透明性及び非透光性）を有していてもよい。これにより、例えば従来のプランジャをそのまま用いて本発明のシリンジを構成することができる。
【００１６】
前記第１目盛りは黒系色を有していてもよい。これにより、淡色液体を計量する際に、第１目盛りの視認性が向上する。また、濃色液体を計量する際に、作業者が第２目盛りを用いるように仕向けることができる。
【００１７】
前記第２目盛りは黒系色を有していてもよい。これにより、第２目盛りの視認性が向上する。
【００１８】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する部材のうち、本発明を説明するために必要な主要部材のみを簡略化して示したものである。従って、本発明は以下の各図に示されていない任意の部材を備え得る。また、以下の各図では、実際の部材の寸法および各部材の寸法比率等は忠実に表されていない。
【００１９】
図１Ａは本発明の一実施形態にかかるシリンジ１の斜視図、図１Ｂはシリンジ１の断面図である。シリンジ１は、外筒１０と、外筒１０内に挿入されたプランジャ２０とを備える。
【００２０】
外筒１０は、筒形状（好ましくは中空円筒形状）を有する本体１２を備える。本体１２の一端には、本体１２より小径の口部１３が設けられ、他端には指掛け用のフランジ１４が設けられている。本例では、口部１３は、先端に近づくにしたがって外径が小さくなるＩＳＯ５９４−１に準拠したテーパ状の外周面を有するオスルアーである。但し、口部１３の形状はこれに限定されず、任意の形状を有していてもよい。口部１３に接続されたメスコネクタ（例えば、メスルアー、針基等）が意図せずに分離するのを防止するために、任意のロック機構が設けられていてもよい。例えば、口部１３を構成するオスルアーを取り囲む円筒が設けられ、当該円筒の内周面にＩＳＯ５９４−２に準拠した雌ネジが形成されていてもよい。図１に示されているように、本体１２の外周面には、外筒１０内の液体を計量するための第１目盛り１１が設けられている。
【００２１】
外筒１０は、第１目盛り１１を用いて外筒１０内の液体を計量することができるように、透明性又は透光性を有している。好ましくは、外筒１０は高い透明性を有している。また、外筒１０は、耐薬品性を有していることが好ましい。外筒１０の材料は、特に制限はないが、このような特性を有する樹脂材料又はガラス材料を用いることができる。樹脂材料としては、例えば、環状ポリオレフィン、ポリカーボネート、ポリエチレンテレフタレート、ポリプロピレン等を用いることができる。外筒１０は、このような樹脂材料を用いて射出成形法により一体的に作製することができる。
【００２２】
第１目盛り１１は、視認性を向上させる観点から、黒系色を有することが好ましい。具体的には、ＣＭＹＫ表示において、Ｋ（ブラック）が６０以上、更には８０以上であることが好ましい。第１目盛り１１の形成方法は、特に制限はないが、外筒１０に直接印刷する方法、第１目盛り１１を印刷等により形成した透明性又は透光性を有するシート（例えば、ポリエステル、ポリオレフィンなどの樹脂シート）を粘着剤を介して外筒１０に貼付する方法、外筒１０を成形する際に本体１２の外表面に凸又は凹により第１目盛り１１を同時に形成する方法などを例示することができる。これらのうち、外筒１０に直接印刷する方法が、所望する色の第１目盛り１１を簡単に形成することができるので好ましい。
【００２３】
プランジャ２０は、棒状の軸部２２を備える。軸部２２の後端にはフランジ状に拡径した指当て部２４が一体的に形成されている。図１Ｂに示されているようにプランジャ２０の前端にはガスケット２７が取り付けられている。外筒１０のフランジ１４側の開口にプランジャ２０の前端を挿入する。ガスケット２７が外筒１０の本体１２の内周面との間に液密なシールを形成しながら、本体１２の内周面上を外筒１０の長手方向に摺動する。
【００２４】
図２は、ガスケット２７を装着する前のプランジャ２０の斜視図である。プランジャ２７の軸部２２は略十字形状の断面を有する。この略十字形状断面を有する部分の外面に、外筒１０内の液体を計量するための第２目盛り２１が設けられている。
【００２５】
図３Ａはプランジャ２０の長手方向に直交する第１方向から見たプランジャ２０の正面図である。この方向からプランジャ２０を見ると、軸部２２に設けられた第２目盛り２１を視認することができる。図３Ｂは、プランジャ２０の長手方向に直交する第２方向から見たプランジャ２０の正面図である。図３Ｂは、図３Ａの状態から、プランジャ２０を、その中心軸に対して１８０度回転させた状態に相当する。図３Ｂに示すように、第２方向からプランジャ２０を見ると、軸部２２に設けられた第２目盛り２１を視認することはできない。
【００２６】
第２目盛り２１は、上記のように、プランジャを２０を第１方向から見たときは視認することができ、第１方向とは異なる第２方向から見たときは視認することができないように設けられる。これを実現するための手法はいろいろあり、特に制限はない。例えば、プランジャ２２が不透明性又は非透光性を有していてもよい。あるいは、第２目盛り２１を不透明性又は非透光性を有するシート（例えば、顔料を分散含有させたポリエステル、ポリオレフィンなどの樹脂シート）上に設け、当該シートをプランジャ２２に貼付してもよい。シートが不透明性又は非透光性を有する場合、プランジャ２２は透明性又は透光性を有していてもよい。
【００２７】
第２目盛り２１は、視認性を向上させる観点から、黒系色を有することが好ましい。具体的には、ＣＭＹＫ表示において、Ｋ（ブラック）が６０以上、更には８０以上であることが好ましい。第２目盛り２１の形成方法は、特に制限はないが、プランジャ２０に直接印刷する方法、第２目盛り２１を印刷等により形成したシート（例えば、ポリエステル、ポリオレフィンなどの樹脂シート）を粘着剤を介してプランジャ２０に貼付する方法、プランジャ２０を成形する際に軸部２２の外表面に凸又は凹により第２目盛り２１を同時に形成する方法などを例示することができる。これらのうち、プランジャ２０に直接印刷する方法は、所望する色の第２目盛り２１を簡単に形成することができるので好ましい。また、第２目盛り２１を形成したシートをプランジャ２０に貼付する方法は、従来のプランジャを大幅な設計変更をすることなく使用してシリンジ１を構成することができるので好ましい。
【００２８】
プランジャ２０の材料としては、特に制限はないが、例えば、環状ポリオレフィン、ポリカーボネート、ポリエチレンテレフタレート、ポリプロピレン、ポリアセタール等の樹脂材料を用いることができる。プランジャ２０に不透明性又は非透光性を付与する場合には、例えば上記の樹脂材料に公知の顔料（例えば二酸化チタン粒子）を分散含有させればよい。プランジャ２０は、このような樹脂材料を用いて射出成形法により一体的に作製することができる。
【００２９】
ガスケット２７の材料としては、特に制限はないが、例えば、ブチルゴム、イソプレンゴム、スチレン系熱可塑性エラストマー等を用いることができる。
【００３０】
以上のように構成された本実施形態のシリンジ１の第１目盛り１１及び第２目盛り２１を用いた液体の計量方法を説明する。
【００３１】
最初に、透明度が高く、薄色又は淡色の液体（本発明ではこれを「淡色液体」という）を計量する方法を説明する。この場合は、従来のシリンジと同様に、外筒１０に設けられた第１目盛り１１を用いて外筒１０内の淡色液体を計量する。即ち、図４に示すように、第１目盛り１１を作業者に見えるように外筒１０を回転させて、第１目盛り１１に対するガスケット２７の位置から、淡色液体の液量を計測する。外筒１０は透明性又は透光性を有しているので、外筒１０を通してガスケット２７を容易に視認することができる（図４では、図面を簡単化するために、本来であれば外筒１０を通して見えるプランジャ２０及びガスケット２７の図示を省略している。）。第１目盛り１１が黒系色で形成されていると、第１目盛り１１の淡色液体に対するコントラストが高いので、第１目盛り１１の視認性は良好である。このとき、プランジャ２０に設けられた第２目盛り２１が視認されないように（図３Ｂ参照）、外筒１０内でプランジャ２０を回転させることが好ましい。これにより、プランジャ２０に設けられた第２目盛り２１は、第１目盛り１１と重なることがなく、第１目盛り１１を用いた計量の妨げにならない。
【００３２】
次に、透明度が低く濃色の液体（本発明ではこれを「濃色液体」という）を計量する方法を説明する。この場合は、プランジャ２０に設けられた第２目盛り２１を用いて外筒１０内の液体を計量する。即ち、図５に示すように、プランジャ２０に設けられた第２目盛り２１が作業者に見えるように（図３Ａ参照）、プランジャ２０を回転させる。プランジャ２０の第２目盛り２１に対する外筒１０の後端（フランジ１４側の端）の位置から、濃色液体の液量を計測する。外筒１０が透明性又は透光性を有し且つ第２目盛り２１が黒系色を有していると、第２目盛り２１の視認性は良好である（図５でも、図面を簡単化するために、本来であれば外筒１０を通して見えるプランジャ２０、ガスケット２７、及び、濃色液体の図示を省略している。）。濃色液体を計量する場合には、外筒１０に設けられた第１目盛り１１は使用しない。第１目盛り１１が黒系色で形成されている場合には、第１目盛り１１は濃色液体に対するコントラストが低いので視認することが困難である。従って、作業者は必然的に第２目盛り２１を使用することになる。
【００３３】
以上のように、本実施形態のシリンジ１は、外筒１０に第１目盛り１１が形成され、プランジャ２０に第２目盛り２１が形成され、更に、第２目盛り２１は第１方向からは視認することができるが第２方向からは視認することができないように形成されている。この結果、淡色液体は第１目盛り１１を用いて視認性よく計量することができ、濃色液体は第２目盛り２１を用いて視認性よく計量することができる。従って、本実施形態のシリンジ１は、簡単な構成で、様々な色の液体の量を視認性よく計量することができる。
【００３４】
また、外筒１０には第１目盛り１１が形成され、プランジャ２０には第２目盛り２１が形成される。即ち、共通する部材に異なる複数種類の目盛りを設ける必要がない。従って、シリンジが小容量の場合など、外筒１０の本体１２の外径が小さい場合であっても、目盛りを設けるための十分な領域を確保することができる。これは、目盛りの視認性の向上に有利である。
【００３５】
上述した特許文献１のように、外筒に色が異なる複数の目盛りを設けることに比べて、外筒１０及びプランジャ２０に第１目盛り１１及び第２目盛り２１をそれぞれ設けることは容易である。しかも、第１目盛り１１及び第２目盛り２１は、汎用されている同じ黒系色で形成することができ、この場合には、第１目盛り１１及び第２目盛り２１の形成が更に容易になる。従って、安価なシリンジを提供できる。例えば、外筒１０として、目盛りが設けられた従来の外筒を使用し、プランジャ２０として、従来のプランジャに、第２目盛り２１を形成した不透明性又は非透光性を有するシートを粘着剤を介して貼付したものを使用するだけで、本発明のシリンジ１を構成することができる。
【００３６】
上記の実施形態は例示にすぎない。本発明は上記の実施形態に限定されず、適宜変更することができる。
【００３７】
上記の実施形態では、プランジャ２０の軸部２２は、その長手方向に垂直な断面が略十字形状を有していたが、軸部２２の断面形状はこれに限定されず、任意である。例えば、円形、多角形（例えば、三角形、四角形など）等の任意の断面形状を有していてもよい。軸部２２の形状に関わらず、第２目盛り２１を、第１方向からは視認することができ、且つ、第１方向とは異なる第２方向からは視認することができないように形成すればよい。
【００３８】
プランジャ２０の中心軸に対して、第２目盛り２１を視認することができる第１方向と第２目盛り２１を視認することができない第２方向とがなす最小角度は任意である。例えば軸部２２の断面形状によって、当該最小角度を１８０度、１２０度、９０度などに適宜変更しうる。
【００３９】
プランジャ２０に複数の第２目盛り２１が設けられていてもよい。例えば、プランジャ２０の中心軸に対して対称な位置に２つの第２目盛り２１を形成することができる。この場合、第２目盛り２１を視認することができる状態からプランジャ２０を中心軸周りに９０度回転させれば、第２目盛り２１を視認することができなくなる。
【００４０】
本発明のシリンジは、第１目盛り１１及び第２目盛り２１以外の構成は任意である。例えば、公知の種々のシリンジに第１目盛り１１及び第２目盛り２１を設けることにより、本発明のシリンジを構成することができる。
【産業上の利用可能性】
【００４１】
本発明の利用分野は特に制限はなく、薬液の混合や患者への投与、採血などの際に使用されるシリンジとして広範囲に利用することができる。また、空の状態で出荷され、使用時に外筒内に液体を吸引するシリンジの他、外筒内に予め薬液等が充填された状態で出荷されるいわゆるプレフィルドシリンジにも本発明を利用することができる。
【符号の説明】
【００４２】
１  シリンジ
１０  外筒
１１  第１目盛り
１２  外筒の本体
２０  プランジャ
２１  第２目盛り
２２  プランジャの軸部
【図１Ａ】
2014195516.tif 000003
【図１Ｂ】
2014195516.tif 000004
【図２】
2014195516.tif 000005
【図３】
2014195516.tif 000006
【図４】
2014195516.tif 000007
【図５】
2014195516.tif 000008